(57)【要約】【課題】扉体による栓刃挿入孔からの異物の侵入を抑制する効果を向上させた扉付コンセント装置を提供する。【解決手段】扉付コンセント装置は、プラグの栓刃を挿入する一対の栓刃挿入孔１１ａ，１１ｂが設けられた前壁１３を有するカバー１０と、このカバー１０の前壁１３の後面に配置されるとともに一対の栓刃挿入孔１１ａ，１１ｂを開閉する第１扉体７０とを備える。そして、第１扉体７０には、カバー１０の前壁１３の後面において、一対の栓刃挿入孔１１ａ，１１ｂの周縁の第１平面部１４〜第３平面部１６と面接触する平面部７５が設けられる。【選択図】図４
2010129179.tif 000002
【特許請求の範囲】
【請求項１】
プラグの栓刃を前側から挿入する一対の栓刃挿入孔が設けられた前壁を有するカバーと、前記カバーの前壁の後側に配置されるとともに前記一対の栓刃挿入孔を開閉する扉体とを備える扉付コンセント装置において、
前記扉体には、前記カバーの前壁の後面において、前記一対の栓刃挿入孔の周縁と面接触する接触部が設けられる
ことを特徴とする扉付コンセント装置。
【請求項２】
請求項１に記載の扉付コンセント装置において、
当該扉付コンセント装置は、前記扉体を前記カバーの前壁の後面に付勢する付勢手段を備え、
前記接触部は、前記一対の栓刃挿入孔の周縁に前記付勢手段の付勢方向において接触する
ことを特徴とする扉付コンセント装置。
【請求項３】
請求項２に記載の扉付コンセント装置において、
前記カバーの前壁の後面において、前記一対の栓刃挿入孔の周縁には、前記付勢方向に対して垂直な平面である栓刃側平面部が設けられ、
前記接触部には、前記栓刃側平面部と平行に接触する扉側平面部が設けられる
ことを特徴とする扉付コンセント装置。
【請求項４】
請求項１〜請求項３のいずれか一項に記載の扉付コンセント装置において、
前記カバーの前壁には、接地電極を挿入する接地電極挿入孔が設けられ、
当該扉付コンセント装置は、前記カバーの前壁の後方に配置されるとともに前記接地電極挿入孔を開閉する接地側扉体を備え、
前記接地側扉体には、前記カバーの前壁の後面において、前記接地電極挿入孔の周縁と面接触する接触部が設けられる
ことを特徴とする扉付コンセント装置。
【請求項５】
請求項４に記載の扉付コンセント装置において、
当該扉付コンセント装置は、前記接地電極を受ける電極受部と、前記電極受部と電気的な接続を行うとともに、電線と接続する接続部を備える
ことを特徴とする扉付コンセント装置。
【請求項６】
請求項１〜請求項５のいずれか一項に記載の扉付コンセント装置において、
当該扉付コンセント装置は、前記栓刃を受ける一対の刃受部と、前記一対の刃受部と電気的な接続を行うとともに、電線と接続する接続部を備える
ことを特徴とする扉付コンセント装置。
【発明の詳細な説明】
【技術分野】
【０００１】
プラグの栓刃を挿入する一対の栓刃挿入孔が設けられた前壁を有するカバーと、このカバーの前壁の後方に配置されるとともに一対の栓刃挿入孔を開閉する扉体とを備える扉付コンセント装置に関する。
【背景技術】
【０００２】
上記扉付コンセント装置では、栓刃挿入孔を介して当該扉付コンセント装置の内部に水及び埃等（以下、「異物」という。）の侵入を抑制するために、栓刃挿入孔を開閉する扉体が備えられている。この扉体は、ばね等の付勢手段により、カバーの前壁に向かい押された状態にて維持されていることにより、栓刃挿入孔を閉口状態としている。そして、栓刃が栓刃挿入孔に挿入される際に、栓刃によって後方に押されることにより、栓刃挿入孔を開口状態としている（例えば、特許文献１参照）。
【０００３】
図１０を参照して、従来構造の扉付コンセント装置のカバーと扉体との関係について説明する。
図１０に示すように、扉付コンセント装置１００は、栓刃挿入孔１１１，１１２を有するカバー１１０と、栓刃挿入孔１１１，１１２を開閉する扉体１２０とを有している。
【０００４】
扉体１２０には、栓刃挿入孔１１１，１１２に対応する位置に突部１２１，１２２がそれぞれ設けられている。そして、突部１２１，１２２と栓刃挿入孔１１１，１１２の周縁の角部１１３，１１４とが接触することにより、扉体１２０は、栓刃挿入孔１１１，１１２を介して扉付コンセント装置１００の外部から内部への異物の侵入を抑制している。
【特許文献１】特開２００８−４１４６２号公報
【発明の開示】
【発明が解決しようとする課題】
【０００５】
しかしながら、図１０に示す従来構造では、扉体１２０は、その突部１２１，１２２がそれぞれ角部１１３，１１４と接触するのみであるため、即ち、扉体１２０の突部１２１，１２２と栓刃挿入孔１１１，１１２の周縁との接触面積が小さいため、扉付コンセント装置１００の外部から内部への異物の侵入を抑制する効果が十分ではなかった。
【０００６】
そこで、本発明は、上記実情に鑑みてなされたものであり、その目的とするところは、扉体による栓刃挿入孔からの異物の侵入を抑制する効果を向上させた扉付コンセント装置を提供することである。
【課題を解決するための手段】
【０００７】
請求項１に記載の発明は、プラグの栓刃を前側から挿入する一対の栓刃挿入孔が設けられた前壁を有するカバーと、前記カバーの前壁の後方に配置されるとともに前記一対の栓刃挿入孔を開閉する扉体とを備える扉付コンセント装置において、前記扉体には、前記カバーの前壁の後面において、前記一対の栓刃挿入孔の周縁と面接触する接触部が設けられることを要旨とする。
【０００８】
この発明によれば、扉体により一対の栓刃挿入孔の周縁と面接触する部分により、扉体と一対の栓刃挿入孔の周縁とが点接触または線接触の構造と比較して、栓刃挿入孔を介して、異物が扉付コンセント装置の外部から内部への侵入を抑制する効果を向上させることができる。
【０００９】
請求項２に記載の発明は、請求項１に記載の扉付コンセント装置において、当該扉付コンセント装置は、前記扉体を前記カバーの前壁の後面に付勢する付勢手段を備え、前記接触部は、前記一対の栓刃挿入孔の周縁に前記付勢手段の付勢方向において接触することを要旨とする。
【００１０】
この発明によれば、付勢手段により、扉体の接触部が一対の栓刃挿入孔の周縁に付勢方向において接触するため、付勢手段によって接触部が一対の栓刃挿入孔の周縁に押圧された状態にて接触する。したがって、接触部と一対の栓刃挿入孔との間の隙間を小さくする、或いは、隙間をなくすことができるため、栓刃挿入孔を介して、異物が扉付コンセント装置の外部から内部へ侵入することを抑制する効果をより一層向上させることができる。
【００１１】
請求項３に記載の発明は、請求項２に記載の扉付コンセント装置において、前記カバーの前壁の後面において、前記一対の栓刃挿入孔の周縁には、前記付勢方向に対して垂直な平面である栓刃側平面部が設けられ、前記接触部には、前記栓刃側平面部と平行に接触する扉側平面部が設けられることを要旨とする。
【００１２】
この発明によれば、付勢手段の付勢の力を扉側平面部と栓刃側平面部との接触する力に効率よく伝達することができる。したがって、栓刃挿入孔を介して扉付コンセント装置の外部から内部への異物の侵入を抑制する効果をより一層向上させることができる。
【００１３】
請求項４に記載の発明は、請求項１〜請求項３のいずれか一項に記載の扉付コンセント装置において、前記カバーの前壁には、接地電極を挿入する接地電極挿入孔が設けられ、当該扉付コンセント装置は、前記カバーの前壁の後方に配置されるとともに前記接地電極挿入孔を開閉する接地側扉体を備え、前記接地側扉体には、前記カバーの前壁の後面において、前記接地電極挿入孔の周縁と面接触する接触部が設けられることを要旨とする。
【００１４】
この発明によれば、扉付コンセント装置に接地電極が設けられた場合においても、接地側扉体と接地側挿入孔の周縁と面接触する部分により、接地側挿入孔を介して扉付コンセント装置の外部から内部への異物の侵入を抑制することができる。
【００１５】
請求項５に記載の発明は、請求項４に記載の扉付コンセント装置において、当該扉付コンセント装置は、前記接地電極を受ける電極受部と、前記電極受部と電気的な接続を行うとともに、電線と接続する接続部を備えることを要旨とする。
【００１６】
請求項６に記載の発明は、請求項１〜請求項５のいずれか一項に記載の扉付コンセント装置において、当該扉付コンセント装置は、前記栓刃を受ける一対の刃受部と、前記一対の刃受部と電気的な接続を行うとともに、電線と接続する接続部を備えることを要旨とする。
【００１７】
これらの発明によれば、扉付コンセント装置が連接されたユニットを備えた住宅設備機器を建材に施工した場合において、扉付コンセント装置の接続部により扉付コンセント装置を互いに電気的に接続することができるため、この住宅設備機器の建材への施工時における建材内（例えば、家屋の壁面内）での電源工事を行う箇所を減少させることができる。
【発明の効果】
【００１８】
本発明によれば、扉体による栓刃挿入孔を介して扉付コンセント装置の外部から内部への異物の侵入を抑制する効果を向上させた扉付コンセント装置を提供することができる。
【発明を実施するための最良の形態】
【００１９】
図１〜図９を参照して、本発明の扉付コンセント装置を具体化した一実施形態について説明する。
まず、図１を参照して、扉付コンセント装置１の全体構成について説明する。以降では、プラグを扉付コンセント装置１へ挿入する方向を「前後方向」とし、扉付コンセント装置１の外枠の長手方向を「横方向」とし、短手方向を「縦方向」とする。そして、前後方向において、カバー１０側を「前側」とし、ボディ２０側を「後側」とする。また、横方向及び縦方向において、扉付コンセント装置１の内部側を「内側」とし、扉付コンセント装置１の外部側を「外側」とする。
【００２０】
図１に示すように、扉付コンセント装置１の外枠は、プラグの栓刃が挿入される栓刃挿入孔１１及び接地電極が挿入される接地電極挿入孔１２を有するカバー１０と、このカバー１０と接続するボディ２０とにより構成されている。そして、カバー１０とボディ２０との内部には、プラグの栓刃を受ける３個の刃受部３０と、これら刃受部３０を保持する中枠４０と、３個の刃受部３０に電気的に接続することにより、電線と刃受部３０との電気的接続を行う６個の錠ばね５０とが収容されている。これら錠ばね５０は、各刃受部３０にそれぞれ２個ずつ対応して配置されている。また、ボディ２０には、錠ばね５０と電線との接続解除の際に用いる３個の解除釦６０が収容されている。
【００２１】
また、カバー１０と中枠４０との前後方向の間には、栓刃挿入孔１１及び接地電極挿入孔１２を開閉する扉体である第１扉体７０及び接地側扉体である第２扉体８０と、これら第１扉体７０及び第２扉体８０をカバー１０側に付勢する付勢手段である板ばね９０とが配置されている。板ばね９０は、中枠４０と第１扉体７０との前後方向の間に圧縮された状態にて配置されている。
【００２２】
次に、図２〜図５を参照して、第１扉体７０及び第２扉体８０の形状、及びカバー１０と第１扉体７０及び第２扉体８０との配置関係について説明する。
まず、図２を参照して、第１扉体７０及び第２扉体８０の形状について説明する。
【００２３】
図２（ａ）に示すように、第１扉体７０は、平板状に形成された基部７１と、基部７１の横方向の両側面に設けられるガイド部７２とを有している。このガイド部７２は、基部７１の縦方向の中央位置に設けられている。また、基部７１には、カバー１０の栓刃挿入孔１１（図１参照）に挿入される2個の突部７３と、プラグの栓刃が挿入される貫通孔７４とが設けられている。また、第１扉体７０は、樹脂材料を射出成形することにより一体的に成形されている。
【００２４】
図２（ｂ）に示すように、第２扉体８０は、平板状に形成された基部８１と、基部８１を回動自在とする軸部８２とを有している。この軸部８２は、基部８１の横方向の外側の端部に設けられている。そして、軸部８２の縦方向の一方には、基部８１をカバー１０の接地電極挿入孔１２（図１参照）に付勢する弾性体であるねじりコイルばね８３が取り付けられている。また、基部８１には、接地電極挿入孔１２に挿入される突部８４が設けられている。また、基部８１及び軸部８２は、樹脂材料を射出成形することにより一体的に成形されている。
【００２５】
次に、図３及び図５を参照して、第１扉体７０及び第２扉体８０とカバー１０との配置関係について説明する。
図３に示すように、カバー１０は、プラグの電源部の栓刃が挿入される略長方形状の貫通孔である２個の栓刃挿入孔１１と、プラグの接地電極が挿入される略楕円形状である１個の接地電極挿入孔１２とが設けられている前壁１３を有している。そして、第１扉体７０及び第２扉体８０は、前壁１３の前後方向の後側の面である後面に当接するように配置されている。また以降では、２個の栓刃挿入孔１１のうち、横方向において、貫通孔が長い方の栓刃挿入孔１１を「第１栓刃挿入孔１１ａ」といい、貫通孔が短い方の栓刃挿入孔１１を「第２栓刃挿入孔１１ｂ」という。また、これらの栓刃挿入孔１１を区別なく使用する場合には、「栓刃挿入孔１１」という。
【００２６】
図４（ａ）に示すように、カバー１０の前壁１３の後面において、第１栓刃挿入孔１１ａの周縁における縦方向の外側及び横方向の両側の部位には、第１扉体７０と当接する栓刃側平面部である第１平面部１４が設けられている。この第１平面部１４は、板ばね９０の付勢方向である前後方向に対して垂直な平面にて形成されている。そして、第１扉体７０において、基部７１の突部７３のうち、第１栓刃挿入孔１１ａに挿入される第１突部７３ａの周縁に設けられた扉側平面部である平面部７５が、前後方向においてこの第１平面部１４と当接する。そして、図２（ａ）に示すように、平面部７５のうちの接触領域Ｐ１において、平面部７５は板ばね９０の付勢方向である前後方向において、第１平面部１４に当接する。
【００２７】
また、図４（ｂ）に示すように、カバー１０の前壁１３の後面において、第２栓刃挿入孔１１ｂの周縁における縦方向の外側及び横方向の両側の部位には、第１扉体７０と当接する栓刃側平面部である第２平面部１５が設けられている。この第２平面部１５は、板ばね９０の付勢方向である前後方向に対して垂直な平面にて形成されている。そして、第１扉体７０において、基部７１の突部７３のうち、第２栓刃挿入孔１１ｂに挿入される第２突部７３ｂの周縁に設けられた平面部７５が前後方向においてこの第２平面部１５と当接する。そして、図２（ａ）に示すように、平面部７５のうちの接触領域Ｐ２において、平面部７５は板ばね９０の付勢方向である前後方向において第２平面部１５に当接する。
【００２８】
また、図４（ｃ）に示すように、カバー１０の前壁１３の後面における第１栓刃挿入孔１１ａ及び第２栓刃挿入孔１１ｂの縦方向の間には、第１扉体７０と当接する栓刃側平面部である第３平面部１６が設けられている。この第３平面部１６は、板ばね９０の付勢方向である前後方向に対して垂直な平面にて形成されている。そして、第１扉体７０において、基部７１の第１突部７３ａ及び第２突部７３ｂの縦方向の間に設けられた平面部７５がこの第３平面部１６と前後方向において当接する。そして、図２（ａ）に示すように、平面部７５のうちの接触領域Ｐ３において、平面部７５は第３平面部１６と当接する。以上により、第１扉体７０は、カバー１０の前壁１３において、第１栓刃挿入孔１１ａ及び第２栓刃挿入孔１１ｂの周縁の全周に亘り、板ばね９０の付勢方向である前後方向において面接触する。
【００２９】
図５に示すように、カバー１０の前壁１３の後面において、接地電極挿入孔１２の周縁の部位には、第２扉体８０と当接する第４平面部１７が設けられている。第２扉体８０において、基部８１の突部８４の周縁に形成された接触部である平面部８５がこの第４平面部１７と当接する。そして、図２（ｂ）に示すように、平面部８５のうちの接触領域Ｐ４において、平面部８５は第４平面部１７と当接する。これにより、第２扉体８０は、カバー１０の前壁１３の後面において、接地電極挿入孔１２の周縁の全周に亘り面接触する。
【００３０】
次に、図４〜図６を参照して、プラグの栓刃Ｑ１及び接地電極Ｑ２の挿入に伴う第１扉体７０及び第２扉体８０の動作について説明する。
図４及び図５に示すように、プラグの栓刃Ｑ１及び接地電極Ｑ２の挿入前の状態においては、板ばね９０及びねじりコイルばね８３によって第１扉体７０及び第２扉体８０はともにカバー１０の前壁１３の後面に当接した状態にて維持されている。即ち、栓刃挿入孔１１及び接地電極挿入孔１２は、それぞれ閉口状態に維持されている。
【００３１】
図６（ａ）に示すように、プラグの栓刃Ｑ１を栓刃挿入孔１１に挿入した状態においては、栓刃Ｑ１によって第１扉体７０が前後方向の後側に付勢されることによって、板ばね９０を前後方向の後側に圧縮する。そして、カバー１０に設けられた傾斜面１８にガイド部７２が摺動することにより、第１扉体７０は、前後方向の後側に移動するとともに、縦方向に移動する。そして、第１扉体７０の貫通孔７４に栓刃が挿入される。以上により、栓刃挿入孔１１が開口状態となる。
【００３２】
また、図６（ｂ）に示すように、プラグの接地電極Ｑ２を接地電極挿入孔１２に挿入した状態においては、接地電極Ｑ２によって、第２扉体８０が軸部８２を回転中心として前後方向の後側に回動される。これにより、接地電極挿入孔１２が開口状態となる。
【００３３】
そして、プラグの栓刃Ｑ１を扉付コンセント装置１から抜いた際には、板ばね９０によって第１扉体７０を前後方向の前側に付勢することにより、再び第１扉体７０がカバー１０の前壁１３の後面に当接した状態となる。また、接地電極Ｑ２を扉付コンセント装置１から抜いた際には、ねじりコイルばね８３によって第２扉体８０を前後方向の前側に回動することにより、再び第２扉体８０がカバー１０の前壁１３の後面に当接した状態となる。以上により、再び栓刃挿入孔１１及び接地電極挿入孔１２は、それぞれ閉口状態に維持される。
【００３４】
次に、図１及び図７〜図９を参照して、本実施形態の扉付コンセント装置１の後面側の構造、及びこの扉付コンセント装置１を連接した際の電線の配線構造について説明する。
まず、図１及び図７を参照して、扉付コンセント装置１と電線との接続構造について説明する。
【００３５】
図７に示すように、ボディ２０には、電線を挿入するための第１挿入孔２１から第６挿入孔２６の６個の挿入孔がそれぞれ設けられている。第１挿入孔２１及び第２挿入孔２２は、カバー１０の栓刃挿入孔１１の第１栓刃挿入孔１１ａに対応して配置された刃受部３０の第１刃受部３１（図１参照）と電線とが接続するために設けられている。そして、第３挿入孔２３及び第４挿入孔２４は、栓刃挿入孔１１の第２栓刃挿入孔１１ｂに対応して配置された刃受部３０の第２刃受部３２（図１参照）と電線とが接続するために設けられている。そして、第５挿入孔２５及び第６挿入孔２６は、カバー１０の接地電極挿入孔１２に対応して配置された刃受部３０の第３刃受部３３（図１参照）と電線とが接続するために設けられている。また、ボディ２０には、各解除釦６０を扉付コンセント装置１の外部に露出する解除孔２７がそれぞれ設けられている。
【００３６】
錠ばね５０と電線との接続は、例えば電線を第１刃受部３１に接続する際には、ドライバー等の工具を解除孔２７に差し込むことにより、解除釦６０を前後方向の前側に移動させる。この解除釦６０の前後方向の前側への移動により錠ばね５０と第１刃受部３１との間に電線が挿入される空間が形成される。そして、電線を上記空間に挿入した状態で、工具を解除孔２７から抜くことにより解除釦６０を前後方向の後側に移動させる。これにより、解除釦６０は、錠ばね５０と接触しない状態となり、錠ばね５０は、第１刃受部３１に向かい付勢する。したがって、電線は第１刃受部３１と錠ばね５０とにより挟まれた状態となり、電線と第１刃受部３１との電気的接続が達成される。また、錠ばね５０及び第１挿入孔２１〜第６挿入孔２６により、それぞれ電線と刃受部３０との接続部が構成されている。
【００３７】
次に、図８及び図９を参照して、連接された扉付コンセント装置１において、錠ばね５０が設けられる場合と、第１刃受部３１及び第２刃受部３２に錠ばね５０が設けられない場合とによる電線の配線について説明する。
【００３８】
図８及び図９は、住宅設備機器である洗面台に設けられる扉付コンセント装置のユニットである。このユニットは、電線の電源側電線Ｗ１と接地側電線Ｗ２とそれぞれと接続する２個の扉付コンセント装置１と、洗面台の照明３のオン／オフを行うスイッチ２とがスイッチボックス４に収容される構成である。以降では、錠ばね５０が設けられた扉付コンセント装置１を「扉付コンセント装置１ａ」とし、第１刃受部３１及び第２刃受部３２に錠ばね５０が設けられていない扉付コンセント装置を「扉付コンセント装置１ｂ」とする。
【００３９】
図８に示すように、扉付コンセント装置１ａでは、扉付コンセント装置１ａのうち、一の扉付コンセント装置１ａにおいて、電源側電線Ｗ１に接続された電線Ｗ３が第４挿入孔２４に挿入されて第２刃受部３２（図１参照）と接続される。次いで、接地側電線Ｗ２に接続された電線Ｗ４が第２挿入孔２２に挿入されて第１刃受部３１（図１参照）と接続される。
【００４０】
一の扉付コンセント装置１ａと他の扉付コンセント装置１ａとの配線は、一の扉付コンセント装置１ａの第３挿入孔２３に挿入された電線Ｗ５が、他の扉付コンセント装置１ａの第４挿入孔２４に挿入されることにより、互いの第２刃受部３２を電気的に接続する。同様に、電線Ｗ６により、一の扉付コンセント装置１ａの第１挿入孔２１と、他の扉付コンセント装置１ａの第１挿入孔２１とを接続することにより、互いの第１刃受部３１を電気的に接続する。また、電線Ｗ７を互いの第５挿入孔２５に挿入することにより、互いの第３刃受部３３（図１参照）を電気的に接続する。
【００４１】
他の扉付コンセント装置１ａとスイッチ２との配線は、電線Ｗ８を第３挿入孔２３に挿入して、第２刃受部３２とスイッチ２とを電気的に接続する。そして、スイッチ２は、電線Ｗ９により、照明３に接続するとともに、接地側電線Ｗ２に接続している。
【００４２】
以上の配線により、電線Ｗ５〜Ｗ８は、スイッチボックス４内に収容される。そして、電線Ｗ５〜Ｗ８は、第１刃受部３１〜第３刃受部３３にそれぞれ接続される。したがって、洗面台を家屋の壁面に施工する場合において、壁面内の電源工事は、電源側電線Ｗ１及び接地側電線Ｗ２と電線Ｗ３及び電線Ｗ４との接続と、接地側電線Ｗ２と電線Ｗ９との接続の２箇所（図８の破線円の部分）のみとなる。
【００４３】
また、図９に示すように、扉付コンセント装置１ｂでは、２個の扉付コンセント装置１ｂとスイッチ２とも電源側電線Ｗ１に接続しなければならない。そして、２個の扉付コンセント装置１ｂとも接地側電線Ｗ２に接続しなければならない。具体的には、スイッチ２と電源側電線Ｗ１とを接続する電線Ｗ１０に２個の扉付コンセント装置１ｂの第１刃受部３１に接続された電線Ｗ１１，Ｗ１２を接続する。そして、一の扉付コンセント装置１ｂの第２刃受部３２と接地側電線Ｗ２とを接続する電線Ｗ１３に、他の扉付コンセント装置１ｂの第２刃受部３２に接続された電線Ｗ１４を接続する。したがって、洗面台を壁面に施工する場合において、電源工事は、図８の扉付コンセント装置１ａの２箇所に加え、電線Ｗ１０と電線Ｗ１１，Ｗ１２との接続と、電線Ｗ１３と電線Ｗ１４との接続の２箇所の合計４箇所（図９の破線円の部分）となる。また、電線Ｗ１０と電線Ｗ１１，Ｗ１２との接続、及び電線Ｗ１３と電線Ｗ１４との接続は、スイッチボックス４の外部にて行われる。以上により、図８及び図９から、扉付コンセント装置１ｂは、扉付コンセント装置１ａよりも電源工事の箇所が増加する。
【００４４】
本実施形態の扉付コンセント装置１によれば、以下に示す効果を奏することができる。
（１）本実施形態の扉付コンセント装置１では、カバー１０の前壁１３の後面において、栓刃挿入孔１１の周縁に形成された第１平面部１４〜第３平面部１６と、第１扉体７０の平面部７５とが面接触する構成である。この構成によれば、図１０に示す従来構造の扉体１２０の突部１２１，１２２が栓刃挿入孔１１１，１１２の周縁の角部１１３，１１４と接触する線接触の構造と比較して、第１扉体７０と栓刃挿入孔１１の周縁との接触面積を増大させることができる。したがって、第１平面部１４〜第３平面部１６と平面部７５との接触により、栓刃挿入孔１１を介して、扉付コンセント装置１の外部から内部への異物の侵入を抑制する効果を向上させることができる。特に、平面部７５は、栓刃挿入孔１１である第１栓刃挿入孔１１ａ及び第２栓刃挿入孔１１ｂのそれぞれの周縁の全周に亘り面接触するため、異物の栓刃挿入孔１１を介する侵入をより確実に抑制することができる。
【００４５】
（２）本実施形態の扉付コンセント装置１では、付勢手段である板ばね９０の付勢方向である前後方向において、第１平面部１４〜第３平面部１６と平面部７５とが互いに接触する構成である。この構成によれば、板ばね９０によって、栓刃挿入孔１１が閉口状態において、平面部７５が第１平面部１４〜第３平面部１６に押圧された状態にて接触するため、平面部７５と第１平面部１４〜第３平面部１６との間に形成される隙間を小さくする、或いは隙間をなくすことができる。
【００４６】
特に、平面部７５と第１平面部１４〜第３平面部１６とは、前後方向に対して垂直な方向に延びる平面であるため、板ばね９０による平面部７５と第１平面部１４〜第３平面部１６とをより確実に接触させることができる。具体的には、板ばね９０の付勢方向である前後方向において、平面部７５と第１平面部１４〜第３平面部１６がそれぞれ面接触するため、板ばね９０の第１扉体７０を付勢する力の方向に沿って、平面部７５と第１平面部１４〜第３平面部１６とはそれぞれ接触することができる。したがって、板ばね９０の上記付勢の力を効率よく平面部７５と第１平面部１４〜第３平面部１６とのそれぞれの接触部分に伝達することができる。これにより、平面部７５と第１平面部１４〜第３平面部１６との間に形成される隙間を小さくする、或いは隙間をなくすことができる。その結果、栓刃挿入孔１１から上記隙間を介して、扉付コンセント装置１の外部から内部に異物が侵入することを抑制する効果をより一層向上させることができる。
【００４７】
また、図１０に示す従来構造において、扉付コンセント装置の外部から内部への異物の侵入を抑制するために、栓刃挿入孔１１１，１１２の周縁にエラストマー等の軟質の樹脂材料を取り付ける構成が考えられる。この構成により、上記角部１１３，１１４と突部１２１，１２２との密着性が向上するため、扉付コンセント装置の外部から内部への異物の侵入の抑制の効果を向上させることができる。
【００４８】
しかしながら、上記の軟質の樹脂材料を使用する構成では、部品点数の増加となり、扉付コンセント装置の製造コストが増大してしまう問題がある。この点において、本実施形態の扉付コンセント装置１では、別部材として樹脂材料を用いることがないため、製造コストを増大させることを防ぐことができる。その結果、扉付コンセント装置１の外部から内部への異物の侵入の抑制の効果を向上させた扉付コンセント装置１を安価に提供することができる。
【００４９】
（３）本実施形態の扉付コンセント装置１では、第２扉体８０の平面部８５がカバー１０の前壁１３の後面１３ａの接地電極挿入孔１２の周縁の第４平面部１７と面接触する構成である。この構成によれば、第２扉体の平面部が第４平面部と線接触する場合と比較して、平面部８５と第４平面部１７との接触面積を増大させることができる。したがって、接地電極挿入孔１２を介して、扉付コンセント装置１の外部から内部に異物が侵入することを抑制することができる。
【００５０】
特に、第２扉体８０は、付勢手段であるねじりコイルばね８３によりカバー１０の前壁１３の後面の第４平面部１７に付勢されているため、第２扉体８０の平面部８５が第４平面部１７に押圧した状態にて接触している。したがって、平面部８５と第４平面部１７との間の隙間を小さくする、或いは隙間をなくすことができるため、扉付コンセント装置１の外部より接地電極挿入孔１２から上記隙間を介して内部への異物の侵入をより確実に抑制することができる。
【００５１】
（４）本実施形態の扉付コンセント装置１では、洗面台及びシステムキッチン等の水回りを扱う住宅設備機器に搭載されることが望ましい。洗面台及びシステムキッチンに搭載される場合、扉付コンセント装置１に直接大量の水等の液体が被る場合は想定され難いが、洗面台の洗面器やシステムキッチンのシンクから飛散した液体が扉付コンセント装置１に付着する場合が想定される。このような場合において、接地電極挿入孔１２を設けることにより、作業者が水の付着した手で、電気機器のプラグを扉付コンセント装置１に差し込んだとしても、感電することを抑制することができる。さらに、栓刃挿入孔１１及び接地電極挿入孔１２に第１扉体７０及び第２扉体８０を設けることにより、電気機器を使用していない状態において、扉付コンセント装置１の内部に液体の侵入を抑制することができるため、作業者が感電することをより一層抑制することができる。
【００５２】
（５）本実施形態の扉付コンセント装置１では、刃受部３０にそれぞれ電線を接続するための錠ばね５０が設けられる構成である。この構成によれば、図８に示すように、扉付コンセント装置１を連接した場合において、扉付コンセント装置１同士をスイッチボックス４内に配線可能な電線Ｗ５〜Ｗ８により互いに接続することができる。したがって、建材（壁面の内部）に配線された電源側電線Ｗ１及び接地側電線Ｗ２と扉付コンセント装置１との接続箇所を低減することができる。その結果、洗面台等の住宅設備機器を建材（壁面）に施工する際に、電源側電線Ｗ１及び接地側電線Ｗ２と扉付コンセント装置１との電気的接続を行う電源工事の箇所を低減することができる。
【００５３】
（その他の実施形態）
本発明の扉付コンセント装置１は、上記に例示した実施形態に限定されることなく、以下のように変更することができる。
【００５４】
・本実施形態の扉付コンセント装置１では、第１扉体７０の平面部７５が、第３平面部１６の全面に当接したが、平面部７５と第３平面部１６との当接関係は、これに限定されることはない。栓刃挿入孔１１の周縁の全周に亘り平面部７５が面接触していればよいため、第３平面部の縦方向の内側の一部については、平面部７５が当接しなくてもよい。
【００５５】
・本実施形態の扉付コンセント装置１では、第１扉体７０の平面部７５及びカバー１０の第１平面部１４〜第３平面部１６は、前後方向に対して垂直に延びる平面形状として設けられたが、平面部７５及び第１平面部１４〜第３平面部１６の形状は、これに限定されることはない。第１扉体７０とカバー１０の前壁１３の後面における栓刃挿入孔１１の周縁とが面接触していればよいため、例えば、平面部７５が、カバー１０の前壁１３の後面に向かい突出する突起が設けられ、第１平面部１４〜第３平面部１６が、平面部７５に設けられた突起と嵌合する凹形状であってもよい。これは、第２扉体８０の平面部８５と第４平面部１７との接触構造に関しても同様である。
【００５６】
・本実施形態の扉付コンセント装置１では、第１扉体７０をカバー１０に付勢する付勢手段として、板ばね９０を用いたが、付勢手段はこれに限定されることはない。第１扉体７０をカバー１０に向かい付勢することができればよい。したがって、例えば、板ばね９０に代えてコイルばねを用いてもよい。
【００５７】
・本実施形態の扉付コンセント装置１では、カバー１０に栓刃挿入孔１１及び接地電極挿入孔１２をそれぞれ設けたが、カバー１０に設けられる挿入孔は、これに限定されることはない。例えば、カバー１０には、栓刃挿入孔１１のみが設けられてもよい。
【図面の簡単な説明】
【００５８】
【図１】本発明の扉付コンセント装置を具体化した実施形態について、同扉付コンセント装置の分解斜視構造を示す分解斜視図。
【図２】（ａ）同実施形態の扉付コンセント装置について、第１扉体の斜視構造を示す斜視図。（ｂ）同実施形態の扉付コンセント装置について、第２扉体の斜視構造を示す斜視図。
【図３】同実施形態の扉付コンセント装置について、カバーと第１扉体と第２扉体との配置関係を示す平面図。
【図４】（ａ）同実施形態の扉付コンセント装置について、図３のＡ−Ａ断面の断面構造を示す断面図。（ｂ）同実施形態の扉付コンセント装置について、図３のＢ−Ｂ断面の断面構造を示す断面図。（ｃ）同実施形態の扉付コンセント装置について、図３のＣ−Ｃ断面の断面構造を示す断面図。
【図５】同実施形態の扉付コンセント装置について、図３のＤ−Ｄ断面の断面構造を示す断面図。
【図６】（ａ）同実施形態の扉付コンセント装置について、プラグの栓刃が挿入された状態の断面構造を示す断面図。（ｂ）同実施形態の扉付コンセント装置について、プラグの接地電極が挿入された状態の断面構造を示す断面図。
【図７】同実施形態の扉付コンセント装置について、ボディを前後方向の後側より見た平面構造を示す平面図。
【図８】同実施形態の扉付コンセント装置を連接したユニットについて、同ユニットの電線の配線構造を示す模式図。
【図９】比較例の扉付コンセント装置を連接したユニットについて、同ユニットの電線の配線構造を示す模式図。
【図１０】従来構造の扉付コンセント装置について、扉体とカバーとの接触構造を示す断面図。
【符号の説明】
【００５９】
Ｑ１…栓刃（プラグの栓刃）、Ｑ２…接地電極、Ｗ１…電源側電線、Ｗ２…接地側電線、Ｗ３〜Ｗ１５…電線、１…扉付コンセント装置、２…スイッチ、３…照明、４…スイッチボックス、１０…カバー、１１…栓刃挿入孔、１１ａ…第１栓刃挿入孔、１１ｂ…第２栓刃挿入孔、１２…接地電極挿入孔、１３…前壁、１４…第１平面部（栓刃側平面部）、１５…第２平面部（栓刃側平面部）、１６…第３平面部（栓刃側平面部）、１７…第４平面部、２０…ボディ、２１…第１挿入孔、２２…第２挿入孔、２３…第３挿入孔、２４…第４挿入孔、２５…第５挿入孔、２６…第６挿入孔、３０…刃受部、３１…第１刃受部（刃受部）、３２…第２刃受部（刃受部）、３３…第３刃受部（電極受部）、４０…中枠、５０…錠ばね（接続部）、６０…解除釦、７０…第１扉体（扉体）、７１…基部、７２…ガイド部、７３…突部、７３ａ…第１突部、７３ｂ…第２突部、７４…貫通孔、７５…平面部（扉側平面部）、８０…第２扉体（接地側扉体）、８１…基部、８２…軸部、８３…ねじりコイルばね、８４…突部、８５…平面部（接触部）、９０…板ばね（付勢手段）。
【図１】
2010129179.tif 000003
【図２】
2010129179.tif 000004
【図３】
2010129179.tif 000005
【図４】
2010129179.tif 000006
【図５】
2010129179.tif 000007
【図６】
2010129179.tif 000008
【図７】
2010129179.tif 000009
【図８】
2010129179.tif 000010
【図９】
2010129179.tif 000011
【図１０】
2010129179.tif 000012